(57)【要約】【課題】紙詰まりしにくくする画像形成システムを提供する。【解決手段】  サーバー１の紙詰まり情報受信部１００は、画像形成装置２の紙詰まり情報送信部２１０から送信された紙詰まり情報３００を受信する。紙詰まり情報分析部１１０は、紙詰まり情報受信部１００により受信された紙詰まり情報３００を分析する。紙詰まり情報分析部１１０は、紙詰まりした給紙元の記録紙５０の給紙数が閾値に対応し、同じ記録紙５０の設定をもつ別の給紙元が存在する場合、当該別の給紙元へ変更するよう指示する給紙設定変更情報３２０を作成する。給紙設定変更情報送信部１２０は、紙詰まり情報分析部１１０により作成された給紙設定変更情報３２０を画像形成装置２へ送信する。【選択図】図５
2018133088.tif 000002
【特許請求の範囲】
【請求項１】
画像形成装置と、前記画像形成装置の管理を行うサーバーとを含む画像形成システムであって、
前記画像形成装置は、
記録紙を保持する複数の給紙元を含む給紙部と、
前記給紙部の紙詰まり情報を取得する紙詰まり情報取得部と、
前記紙詰まり情報取得部により取得された紙詰まり情報を前記サーバーへ送信する紙詰まり情報送信部と、
前記サーバーから送信された給紙設定変更情報を受信する給紙設定変更情報受信部と、
前記給紙設定変更情報受信部により受信された給紙設定変更情報に対応して、前記給紙部の給紙設定を変更する給紙設定変更部とを備え、
前記サーバーは、
前記画像形成装置の前記紙詰まり情報送信部から送信された前記紙詰まり情報を受信する紙詰まり情報受信部と、
前記紙詰まり情報受信部により受信された前記紙詰まり情報を分析し、紙詰まりが起こった給紙元の前記記録紙の給紙数が、閾値に対応し、同じ記録紙の設定をもつ別の給紙元が存在する場合、当該別の給紙元へ変更するよう指示する前記給紙設定変更情報を作成する紙詰まり情報分析部と、
前記紙詰まり情報分析部により作成された前記給紙設定変更情報を前記画像形成装置へ送信する給紙設定変更情報送信部とを備える
ことを特徴とする画像形成システム。
【請求項２】
前記閾値は、前記紙詰まりが起こった給紙元の耐用枚数、及び／又は、前記紙詰まりした給紙元と前記別の給紙元との給紙カウンターの比率に対応する
ことを特徴とする請求項１に記載の画像形成システム。
【請求項３】
前記複数の給紙元は、給紙カセット及び手差しトレイを含み、
前記紙詰まり情報分析部は、
前記給紙カセット用と前記手差しトレイ用とで異なる前記閾値を用いる
ことを特徴とする請求項１又は２に記載の画像形成システム。
【請求項４】
前記紙詰まり情報分析部は、
前記複数の給紙元のそれぞれについて、保持される前記記録紙の種類により、前記閾値を変化させる
ことを特徴とする請求項１乃至３のいずれか１項に記載の画像形成システム。
【請求項５】
前記紙詰まり情報分析部は、
複数の画像形成装置から取得された前記紙詰まり情報を分析して、ユーザーの環境に適合させて前記閾値を変化させる
ことを特徴とする請求項１乃至４のいずれか１項に記載の画像形成システム。
【請求項６】
画像形成装置の管理を行うサーバーであって、
前記画像形成装置から送信された紙詰まり情報を受信する紙詰まり情報受信部と、
前記紙詰まり情報受信部により受信された前記紙詰まり情報を分析し、紙詰まりした給紙元の記録紙の給紙数が閾値に対応し、同じ記録紙の設定をもつ別の給紙元が存在する場合、当該別の給紙元へ変更するよう指示する給紙設定変更情報を作成する紙詰まり情報分析部と、
前記紙詰まり情報分析部により作成された前記給紙設定変更情報を前記画像形成装置へ送信する給紙設定変更情報送信部とを備える
ことを特徴とするサーバー。
【請求項７】
記録紙を保持する複数の給紙元を含む給紙部と、
前記給紙部のいずれかの紙詰まり情報を取得する紙詰まり情報取得部と、
前記紙詰まり情報取得部により取得された前記紙詰まり情報を分析し、紙詰まりした給紙元の記録紙の給紙数が閾値に対応し、同じ記録紙の設定の別の給紙元が存在する場合、当該別の給紙元へ変更するよう指示する給紙設定変更情報を作成する紙詰まり情報分析部と、
前記紙詰まり情報分析部により作成された給紙設定変更情報に対応して、前記給紙部の給紙設定を変更する給紙設定変更部とを備える
ことを特徴とする画像形成装置。
【請求項８】
画像形成装置の管理を行うサーバーにより実行される情報処理方法であって、
前記画像形成装置から送信された紙詰まり情報を受信し、
受信された前記紙詰まり情報を分析し、
紙詰まりした給紙元の記録紙の給紙数が閾値に対応し、同じ記録紙の設定をもつ別の給紙元が存在する場合、当該別の給紙元へ変更するよう指示する給紙設定変更情報を作成し、
作成された前記給紙設定変更情報を前記画像形成装置へ送信する
ことを特徴とする情報処理方法。
【発明の詳細な説明】
【技術分野】
【０００１】
本発明は、特に、紙詰まりを減少させる画像形成システム、サーバー、画像形成装置、及び情報処理方法に関する。
【背景技術】
【０００２】
従来から、文書や画像を印刷可能な複合機（Multifunctional Peripheral, MFP）等の画像形成装置が存在する。
【０００３】
ここで、典型的な技術として、サービスマンがリモートで画像形成装置の適切なメンテナンスを行うことのできる、リモートメンテナンスシステムが知られている。
この技術では、少くとも通信機能、プリント機能を有し、固体識別のためのアドレスを持つ機器であるＡ〜Ｄから、コントロールセンターがネットワークを介してメンテナンスに必要な情報を収集する。コントロールセンターでは、この情報にもとづいて所要のメンテナンス情報を生成する。そして、コントロールセンターは、ネットワークを介して所要のマシンに供給し、メンテナンスが行われる。
【先行技術文献】
【特許文献】
【０００４】
【特許文献１】特開２０００−１３２３６４号公報
【発明の概要】
【発明が解決しようとする課題】
【０００５】
ここで、これら画像形成装置の給紙に使用される給紙カセットの部品には耐用枚数があり、耐用枚数に近づく若しくは超えると給紙がうまくいかず、紙詰まりが発生しやすくなる。
紙詰まりの発生が多発するとサービスパーソンによる部品交換が必要となり、ユーザーがプリンターを使用できないダウンタイムが発生していた。
しかしながら、典型的な技術では、給紙カセット又は手差しトレイの使用頻度の偏りについては考慮していなかった。
【０００６】
本発明は、このような状況に鑑みてなされたものであって、上述の問題点を解消する画像形成装置を提供することを課題とする。
【課題を解決するための手段】
【０００７】
本開示の画像形成システムは、画像形成装置と、前記画像形成装置の管理を行うサーバーとを含む画像形成システムである。前記画像形成装置は、給紙部と、紙詰まり情報取得部と、紙詰まり情報送信部と、給紙設定変更情報受信部と、給紙設定変更部とを備える。給紙部は、記録紙を保持する複数の給紙元を含む。紙詰まり情報取得部は、前記給紙部の紙詰まり情報を取得する。紙詰まり情報送信部は、前記紙詰まり情報取得部により取得された紙詰まり情報を前記サーバーへ送信する。給紙設定変更情報受信部は、前記サーバーから送信された給紙設定変更情報を受信する。給紙設定変更部は、前記給紙設定変更情報受信部により受信された給紙設定変更情報に対応して、前記給紙部の給紙設定を変更する。前記サーバーは、紙詰まり情報受信部と、紙詰まり情報分析部と、給紙設定変更情報送信部とを備える。紙詰まり情報受信部は、前記画像形成装置の前記紙詰まり情報送信部から送信された前記紙詰まり情報を受信する。紙詰まり情報分析部は、前記紙詰まり情報受信部により受信された前記紙詰まり情報を分析し、紙詰まりした給紙元の前記記録紙の給紙数が閾値に対応し、同じ記録紙の設定をもつ別の給紙元が存在する場合、当該別の給紙元へ変更するよう指示する前記給紙設定変更情報を作成する。給紙設定変更情報送信部は、前記紙詰まり情報分析部により作成された前記給紙設定変更情報を前記画像形成装置へ送信する。
本開示のサーバーは、画像形成装置の管理を行うサーバーである。サーバーは、紙詰まり情報受信部と、紙詰まり情報分析部と、給紙設定変更情報送信部とを備える。紙詰まり情報受信部は、前記画像形成装置から送信された紙詰まり情報を受信する。紙詰まり情報分析部は、前記紙詰まり情報受信部により受信された前記紙詰まり情報を分析し、紙詰まりした給紙元の記録紙の給紙数が閾値に対応し、同じ記録紙の設定をもつ別の給紙元が存在する場合、当該別の給紙元へ変更するよう指示する給紙設定変更情報を作成する。給紙設定変更情報送信部は、前記紙詰まり情報分析部により作成された前記給紙設定変更情報を前記画像形成装置へ送信する。
本開示の画像形成装置は、給紙部と、紙詰まり情報取得部と、紙詰まり情報分析部と、給紙設定変更部とを備えることを特徴とする。給紙部は、記録紙を保持する複数の給紙元を含む。紙詰まり情報取得部は、前記給紙部のいずれかの紙詰まり情報を取得する。紙詰まり情報分析部は、前記紙詰まり情報取得部により取得された前記紙詰まり情報を分析し、紙詰まりした給紙元の記録紙の給紙数が閾値に対応し、同じ記録紙の設定の別の給紙元が存在する場合、当該別の給紙元へ変更するよう指示する給紙設定変更情報を作成する。給紙設定変更部は、前記紙詰まり情報分析部により作成された給紙設定変更情報に対応して、前記給紙部の給紙設定を変更する。
本開示の情報処理方法は、画像形成装置の管理を行うサーバーにより実行される情報処理方法である。前記サーバーにおいて、前記画像形成装置から送信された紙詰まり情報が受信される。受信された前記紙詰まり情報を分析される。紙詰まりした給紙元の記録紙の給紙数が閾値に対応し、同じ記録紙の設定をもつ別の給紙元が存在する場合、当該別の給紙元へ変更するよう指示する給紙設定変更情報が作成される。作成された前記給紙設定変更情報を前記画像形成装置へ送信される。
【発明の効果】
【０００８】
本発明によれば、詰まり情報を分析し、紙詰まりした給紙元の記録紙の給紙数が閾値に対応し、同じ記録紙の設定の別の給紙元が存在する場合、当該別の給紙元へ変更するよう指示することで、紙詰まりを減少させることが可能な画像形成システムを提供することができる。
【図面の簡単な説明】
【０００９】
【図１】本開示の第一実施形態に係る画像形成システムのシステム構成図である。
【図２】図１に示すサーバーの制御構成を示すブロック図である。
【図３】図１に示す画像形成装置の全体構成を示す概略図である。
【図４】図１に示す画像形成装置の制御構成を示すブロック図である。
【図５】本開示の第一実施形態に係る画像形成システムの機能構成を示すブロック図である。
【図６】本開示の第一実施形態に係る紙詰まり給紙設定変更処理のフローチャートである。
【図７】本開示の第二実施形態に係る画像形成装置の機能構成を示すブロック図である。
【図８】本開示の第一実施形態に係る紙詰まり給紙設定変更処理のフローチャートである。
【発明を実施するための形態】
【００１０】
＜第一実施形態＞
〔画像形成システムＸのシステム構成〕
まず、図１〜図３を参照して、本開示の第一実施形態に係る画像形成システムＸのシステム構成について説明する。
本開示の実施の形態に係る画像形成システムＸは、サーバー１と、一台以上の画像形成装置２とが、ネットワーク５で接続されている。
【００１１】
サーバー１は、画像形成装置２を遠隔管理するサーバー装置である。
本実施形態において、サーバー１は、汎用機やＰＣ（Ｐｅｒｓｏｎａｌ  Ｃｏｍｐｕｔｅｒ）等で構成される。
サーバー１は、画像形成装置２の紙詰まりの発生情報や、給紙部２４（図３）の記録紙５０の使用状況等を、例えば１日１回収集する。
サーバー１は、収集したデータの分析結果に応じて、画像形成装置２に対して給紙設定の変更等を通知する。
【００１２】
画像形成装置２は、ＭＦＰ、プリンター等である。
画像形成装置２は、サーバー１から通知を受けた場合、次の印刷を行う前に給紙部の給紙設定の変更を行う。
これにより、紙詰まりの多発を防ぐことができる。
【００１３】
ネットワーク５は、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）等である。
また、ネットワーク５は、ルーター（Ｒｏｕｔｅｒ）やゲートウェイ（Ｇａｔｅｗａｙ）等を介して、インターネット（登録商標）や携帯電話網等の等に接続してもよい。
【００１４】
次に、図２によると、サーバー１は、制御部１０、ネットワーク送受信部１５、及び記憶部１９を含んでいる。
【００１５】
制御部１０は、ＣＰＵ（Ｃｅｎｔｒａｌ  Ｐｒｏｃｅｓｓｉｎｇ  Ｕｎｉ）、ＧＰＵ（Ｇｒａｐｈｉｃｓ  Ｐｒｏｃｅｓｓｉｎｇ  Ｕｎｉｔ）等である。
制御部１０は、記憶部１９の補助記憶部に記憶されている制御プログラムを読み出す。
そして、制御部１０は、この制御プログラムを主記憶部に展開させて実行することで、後述する機能ブロックの各手段として動作させられる。
【００１６】
ネットワーク送受信部１５は、ネットワーク５に接続する。
【００１７】
記憶部１９は、一時的でない記録媒体を用いたストレージである。
記憶部１９は、主記憶部、補助記憶部を含んでいてもよい。
記憶部１９は、主記憶部としては、各種ＲＡＭ（Ｒａｎｄｏｍ  Ａｃｃｅｓｓ  Ｍｅｍｏｒｙ）等を含んでいてもよい。
また、記憶部１９は、補助記憶部として、ＲＯＭ（Ｒｅａｄ  Ｏｎｌｙ  Ｍｅｍｏｒｙ）、フラッシュメモリー、ＨＤＤ（Ｈａｒｄ  Ｄｉｓｋ  Ｄｒｉｖｅ）等を含んでいてもよい。
この場合、記憶部１９の補助記憶部にはサーバー１の動作制御を行うための制御プログラムが記憶されている。
また、記憶部１９は、各種フラッシュメモリーや光学記録媒体等の外部記憶媒体を含んでいてもよい。
【００１８】
なお、制御部１０も、一時的でない記録媒体として、ＲＡＭやＲＯＭやフラッシュメモリー等を内蔵していてもよい。
【００１９】
次に、図３及び図４によると、画像形成装置２は、画像処理部２１、原稿読取部２２、原稿給送部２３、給紙部２４、ネットワーク送受信部２５、操作パネル部２６、画像形成部２７、ＦＡＸ送受信部２８、及び記憶部２９等を含んでいる。
各部は、制御部２０に接続され、制御部２０によって動作制御される。
【００２０】
制御部２０は、ＣＰＵ等である。
制御部２０は、記憶部２９の補助記憶部に記憶されている制御プログラムを読み出す。
そして、制御部２０は、この制御プログラムを主記憶部に展開させて実行することで、後述する機能ブロックの各手段として動作させられる。
また、制御部２０は、外部の端末や操作パネル部２６等から入力された所定の指示情報に応じて、装置全体の制御を行う。
【００２１】
画像処理部２１は、画像処理専用の制御演算部である。
画像処理部２１は、画像データに対して、各種画像処理を行う。
この画像処理は、例えば、白紙ページ検出、拡大縮小回転、濃度調整、階調調整、ノイズ除去、シャープネス、その他の画質改善等である。
また、画像処理部２１は、原稿読取部２２で読み取られた画像を、記憶部２９に印刷データとして記憶する。
この際、画像処理部２１は、印刷データを各種フォーマットのファイルに変換することも可能である。
【００２２】
原稿読取部２２は、セットされた原稿をスキャンする。
また、原稿読取部２２は、画像形成装置２の本体部の上部に配設される。
原稿読取部２２は、スキャナーと、プラテンガラスと、原稿読取スリットとを備えている。
原稿読取部２２は、プラテンガラスに載置された原稿を読み取る場合には、スキャナーをプラテンガラスに対向する位置に移動させる。
原稿読取部２２は、プラテンガラスに載置された原稿を走査しながら読み取る。
これにより、原稿読取部２２は、画像データを取得し、取得した画像データを制御部２０に出力する。
【００２３】
また、原稿読取部２２は、原稿給送部２３から給送された原稿を読み取る場合には、スキャナーを、原稿読取スリットと対向する位置に移動させる。
そして、原稿読取部２２は、原稿読取スリットを介し、原稿を読み取る。
この際、原稿読取部２２は、原稿給送部２３による原稿の搬送動作と同期して原稿を読み取って、画像データを取得する。
原稿読取部２２は、取得した画像データを、制御部２０に出力する。
【００２４】
原稿給送部２３は、原稿読取部２２で読み取られる原稿を搬送する。
原稿給送部２３は、原稿読取部２２の上部に配設されている。
原稿給送部２３は、原稿載置部と、原稿搬送機構とを備えている。
原稿給送部２３は、原稿載置部に載置された原稿を、原稿搬送機構によって１枚ずつ順に繰り出して、原稿読取部２２に給送する。
【００２５】
給紙部２４は、搬送部４２を介して、画像形成部２７に向けて記録紙５０を１枚ずつ繰り出す。
給紙部２４は、本体部に備えられている。
給紙部２４及び搬送部４２の構成は、後述する。
【００２６】
ネットワーク送受信部２５は、ネットワーク５に接続するためのＬＡＮボードや無線送受信機等を含むネットワーク接続手段である。
ネットワーク送受信部２５は、データ通信用の回線ではデータを送受信し、音声電話回線では音声信号を送受信する。
【００２７】
操作パネル部２６は、入力部と、表示部とを備えている。
また、操作パネル部２６は、画像形成装置２のフロント側に配設されている。
操作パネル部２６の入力部は、ボタンやタッチパネル等を含む。
入力部のボタンは、テンキー、スタート、キャンセル、動作モードの切り換え、ジョブの実行に係る指示を行うボタン等である。
この動作モードは、複写、ＦＡＸ送信、スキャナー、ネットワークスキャナー等のモードを備えていてもよい。
また、ジョブは、選択された文書の印刷、送信、保存、及び記録等の種類であってもよい。
操作パネル部２６の入力部は、ユーザーによる画像形成装置２の各種ジョブの指示を取得可能である。
また、操作パネル部２６の入力部から取得したユーザーの指示により、各ユーザーの情報を入力、変更することも可能である。
操作パネル部２６の表示部は、ＬＣＤ（Ｌｉｑｕｉｄ  Ｃｒｙｓｔａｌ  Ｄｉｓｐｌａｙ）や有機ＥＬディスプレイ等である。
【００２８】
画像形成部２７は、ユーザーの出力指示により、記憶部２９に記憶され、原稿読取部２２で読み取られ、又は外部の端末から取得されたデータの記録紙５０への画像形成を行う。
画像形成部２７は、感光体ドラム、露光部、現像部、転写部、及び定着部等を備えている。
画像形成部２７は、帯電、露光、現像、転写、定着からなる画像形成プロセスを実行することで、記録紙５０にトナー像を記録する。
【００２９】
ＦＡＸ送受信部２８は、ファクシミリの送受信を行う。
ＦＡＸ送受信部２８は、音声回線により他のＦＡＸ装置からファクシミリを受信して、記憶部２９に保存し、画像形成部２７で画像形成させる。
また、ＦＡＸ送受信部２８は、原稿読取部２２で読み取られた原稿や外部の端末から送信されたネットワークＦＡＸのデータを画像データに変換して、他のＦＡＸ装置へ音声回線でファクシミリ送信することが可能である。
【００３０】
記憶部２９は、一時的でない記録媒体を含むストレージである。
記憶部２９は、主記憶部としては、各種ＲＡＭ（Ｒａｎｄｏｍ  Ａｃｃｅｓｓ  Ｍｅｍｏｒｙ）等を含んでいてもよい。
また、記憶部２９は、補助記憶部として、ＲＯＭ（Ｒｅａｄ  Ｏｎｌｙ  Ｍｅｍｏｒｙ）、フラッシュメモリー、ＨＤＤ（Ｈａｒｄ  Ｄｉｓｋ  Ｄｒｉｖｅ）等を含んでいてもよい。
この場合、記憶部２９の補助記憶部には画像形成装置２の動作制御を行うための制御プログラムが記憶されている。
また、記憶部２９は、機種名やシリアルナンバー等のＩＤ情報を格納していてもよい。
これに加えて、記憶部２９は、ユーザーアカウント設定も記憶してもよい。
また、記憶部２９には、ユーザー毎の文書ボックス（保存フォルダー、共有フォルダー）の領域が含まれていてもよい。
【００３１】
また、給紙部２４は、複数の給紙カセット４０及び手差しトレイ４１を含んでおり、搬送部４２と接続されている。
【００３２】
給紙カセット４０は、記録紙５０を保持する。
給紙カセット４０に保持される記録紙５０は、例えば、上質紙、ラベル紙、光沢紙、再生紙等である。
手差しトレイ４１は、ユーザーが手差しで記録紙５０を差し入れるトレイ等である。
手差しトレイ４１は、給紙カセット４０よりも少ない量の記録紙５０を保持可能である。
また、手差しトレイ４１は、カード、封筒、厚紙、エンボス紙、透明フィルム等、給紙カセット４０では保持できない記録紙５０を保持可能である。
また、手差しトレイ４１は、使用しない際には、本体部に格納可能であってもよい。
この給紙カセット４０及び手差しトレイ４１のいずれかは、後述する本体部の制御部２０（図３）により給紙元に設定される。
また、給紙部２４及び搬送部４２は、各種のセンサーを備えている。
用紙搬送路のどこに用紙が詰まったかを判断するために、センサーが用いられる。
このセンサーは、光学センサーや機械式のセンサーであってもよい。
【００３３】
搬送部４２は、給紙ローラー、搬送ローラー対、レジストローラー対、及び排出ローラー対を含んでいる。
給紙ローラーは、複数備えられている。
それぞれの給紙ローラーは、複数の給紙カセット４０のいずれか、又は手差しトレイ４１から記録紙５０を１枚ずつ用紙搬送路に繰り出す。
搬送ローラー対は、給紙ローラーにより用紙搬送路に繰り出された記録紙５０を、画像形成部２７に向けて搬送する。
レジストローラー対は、搬送ローラー対により搬送された記録紙５０の記録されるタイミングを制御する。
そして、画像形成部２７は、レジストローラー対でタイミングが制御された記録紙５０を画像形成する。
排出ローラー対は、画像形成部２７で画像形成された記録紙５０を、排出口から排出トレイへ排出する。
また、搬送部４２は、光学センサー、機械センサー、各ローラーのトルクセンサー等の各種センサーの信号を取得する。
これにより、紙詰まりが起こった場合に、記録紙５０がどこに存在するのか検出可能である。
【００３４】
なお、画像形成装置２において、制御部２０及び画像処理部２１は、ＧＰＵ内蔵ＣＰＵ等やチップ・オン・モジュールパッケージのように、一体的に形成されていてもよい。
また、制御部２０及び画像処理部２１は、ＲＡＭやＲＯＭやフラッシュメモリー等の一時的でない記録媒体を含んでいてもよい。
【００３５】
〔画像形成システムＸの機能構成〕
ここで、図５を参照し、画像形成システムＸのサーバー１及び画像形成装置２の機能構成について説明する。
サーバー１の制御部１０は、紙詰まり情報受信部１００、紙詰まり情報分析部１１０、及び給紙設定変更情報送信部１２０を備えている。
サーバー１の記憶部１９は、紙詰まり情報３００、閾値設定３１０、及び給紙設定変更情報３２０を格納する。
画像形成装置２の制御部２０は、紙詰まり情報取得部２００、紙詰まり情報送信部２１０、給紙設定変更情報受信部２２０、及び給紙設定変更部２３０を備えている。
画像形成装置２の記憶部２９は、紙詰まり情報３００及び給紙設定変更情報３２０を格納する。
【００３６】
紙詰まり情報受信部１００は、画像形成装置２の紙詰まり情報送信部２１０から送信された紙詰まり情報３００を受信する。
【００３７】
紙詰まり情報分析部１１０は、紙詰まり情報受信部１００により受信された紙詰まり情報３００を分析する。
紙詰まり情報分析部１１０は、紙詰まりした給紙元の記録紙５０の給紙数が閾値設定３１０に含まれる閾値に対応するか否かを判断する。
そして、閾値に対応する場合、紙詰まり情報分析部１１０は、同じ記録紙５０の設定をもつ別の給紙元が存在するか否かを判断する。
同じ設定の給紙元がある場合、紙詰まり情報分析部１１０は、当該別の給紙元へ変更するよう指示する給紙設定変更情報３２０を作成する。
この際、紙詰まり情報分析部１１０は、閾値設定３１０により、給紙カセット４０と手差しトレイ４１とで異なる閾値を用いる。
また、紙詰まり情報分析部１１０は、給紙部２４の各給紙元である複数の給紙カセット４０のいずれか又は手差しトレイ４１とに保持される記録紙５０の種類により、閾値を変化させる。
【００３８】
給紙設定変更情報送信部１２０は、紙詰まり情報分析部１１０により作成された給紙設定変更情報３２０を画像形成装置２へ送信する。
【００３９】
紙詰まり情報取得部２００は、給紙部２４の紙詰まり情報３００を取得する。
この際、紙詰まり情報取得部２００は、給紙カウンター情報３３０を参照する。
そして、紙詰まり情報取得部２００は、センサーの情報等から、どこで紙詰まりが起こったのかを解析する。
すなわち、紙詰まり情報取得部２００は、紙詰まりは複数の給紙部２４の給紙カセット４０の一つ及び手差しトレイ４１で起こったか、搬送路中の他の箇所で起こったか等を解析する。
これにより、紙詰まり情報取得部２００は、紙詰まり情報３００を作成して記憶部２９に一時的に格納する。
【００４０】
紙詰まり情報送信部２１０は、紙詰まり情報取得部２００により取得された紙詰まり情報３００をサーバー１へ送信する。
このため、紙詰まり情報送信部２１０は、一時的に記憶部２９に格納されていた紙詰まり情報３００を、ネットワーク送受信部２５より送信する。
【００４１】
給紙設定変更情報受信部２２０は、サーバー１から送信された給紙設定変更情報３２０を受信する。
この際、給紙設定変更情報受信部２２０は、給紙設定変更情報３２０を受信したら、記憶部２９に格納する。
【００４２】
給紙設定変更部２３０は、給紙設定変更情報受信部２２０により受信された給紙設定変更情報３２０に対応して、給紙部２４の給紙設定を変更する。
給紙設定変更部２３０は、記憶部２９に格納された給紙カウンター情報３３０の給紙元を、給紙設定変更情報３２０に対応するように変更する。
【００４３】
紙詰まり情報３００は、給紙部２４の紙詰まりを分析するための情報である。
紙詰まり情報３００は、例えば、紙詰まりの発生時刻、機種名及びシリアルナンバー、紙詰まり発生個所、紙詰まり原因コード、給紙元の給紙カセット４０又は手差しトレイ４１のＩＤ（Ｉｄｅｎｔｉｆｉｃａｔｉｏｎ）、画像形成装置２の全給紙カセット４０及び手差しトレイ４１の設定情報を含んでいてもよい。
この設定情報は、給紙カウンター情報３３０から、記録紙５０のサイズ、種類、給紙カウンター等の情報を選択して含ませてもよい。
なお、紙詰まり情報３００に給紙カウンター情報３３０の情報を含ませず、別途、サーバー１に送信させるような構成も可能である。
【００４４】
閾値設定３１０は、紙詰まりした給紙元の給紙カセット４０又は手差しトレイ４１の耐用枚数の閾値を含んでいる。
耐用枚数は、例えば、給紙に使用される給紙カセット４０又は手差しトレイ４１の部品の耐用枚数のうち、最も短い期間を選択してもよい。
また、この耐用枚数は、記録紙５０の給紙の際に、紙詰まりが特定頻度で発生するまでの枚数を選択してもよい。
また、耐用枚数の閾値は、そのまま使用しても、画像形成装置２の管理者により少なめ又は多め等の調整を行ってもよい。
これにより、例えば、耐用枚数の閾値を８０％のように少なめに設定すると、紙詰まりしやすくなる前にメンテナンスが可能となり、ダウンタイムを減少できる。
また、例えば、耐用枚数の閾値を１２０％のように多めに設定すれば、多少、紙詰まりの頻度が高くなっても、メンテナンスコストを削減できる。
【００４５】
また、閾値設定３１０は、紙詰まりした給紙元の給紙カセット４０又は手差しトレイ４１と、別の給紙カセット４０又は手差しトレイ４１との給紙カウンターの比率に対応する閾値を含んでいてもよい。
たとえば、給紙元の給紙カセット４０又は手差しトレイ４１の給紙カウンターを１として、他の給紙カセット４０又は手差しトレイ４１の給紙カウンターが０．５以下といった閾値を設定可能である。なお、この場合の他の給紙カセット４０又は手差しトレイ４１の給紙カウンターは、全ての他の給紙カセット４０又は手差しトレイ４１の平均値、又は最小値であってもよい。
これにより、使用頻度が偏っている給紙カセット４０又は手差しトレイ４１について、後述するように画像形成装置２の管理者に注意することが可能となる。
【００４６】
また、閾値設定３１０は、給紙カセット４０と手差しトレイ４１とで異なる閾値を用いてもよい。
たとえば、手差しトレイ４１は、給紙される記録紙５０の種類が比較的、多くなる。
これにより、手差しトレイ４１は、紙詰まり（ジャム）の発生頻度が高くなる。
このため、手差しトレイ４１の閾値を給紙カセット４０の閾値より大きく設定してもよい。
これは、手差しトレイ４１では、給紙ローラーの外周のゴムのヘタリに比べて、紙詰り発生の原因が用紙自体が原因で紙詰まりすることが多いと考えられるためである。
すなわち、記録紙５０の給紙枚数と、給紙ローラーの劣化との相関が給紙カセット４０に比べて小さいと考えられるからである。
なお、例えば、多くの異なる種類の用紙を給紙する結果、給紙ローラーの劣化が起きやすい機種等の場合には、手差しトレイ４１の閾値を給紙カセット４０の閾値より小さくしてもよい。
【００４７】
また、閾値設定３１０は、各給紙元の給紙カセット４０又は手差しトレイ４１に保持される記録紙５０の種類により、異なる閾値を用いてもよい。
すなわち、各カセットからの給紙枚数だけでなく用紙種類別の給紙カウンターに対応して、閾値を変化させててもよい。
これにより、更に確かな閾値を設定することが可能である。
【００４８】
また、給紙元となる給紙カセット４０又は手差しトレイ４１の給紙カウンターの閾値は、予め設定された値を用いても、紙詰まり情報３００の分析結果からサーバー１により設定されてもよい。
ここで、これらの閾値は、各画像形成装置２に対応した設定値のままでも、サーバー１が収集した紙詰まり情報３００等に基づいて動的に変更させてもよい。
【００４９】
給紙設定変更情報３２０は、給紙元の給紙カセット４０又は手差しトレイ４１を変更する、画像形成装置２へのコマンド等である。
【００５０】
給紙カウンター情報３３０は、給紙部２４の各給紙カセット４０又は手差しトレイ４１に格納された記録紙５０の給紙設定及び給紙数の属性情報である。
この属性情報は、記録紙５０のサイズ、種類、向き、給紙カウンター等についての情報を含む。
このうち、給紙カウンターは、当該給紙カセット４０又は手差しトレイ４１から記録紙５０が給紙された回数、すなわち給紙数である。
この給紙数は、サービスパースン等によりメンテナンスされた際にリセットされ、０にされてもよい。
また、給紙カウンター情報３３０は、給紙設定を含んでいる。
この給紙設定は、給紙部２４のどの給紙カセット４０又は手差しトレイ４１から給紙するかについての給紙元の設定である。
【００５１】
ここで、サーバー１の制御部１０は、記憶部１９に記憶された制御プログラムを実行することで、紙詰まり情報受信部１００、紙詰まり情報分析部１１０、及び給紙設定変更情報送信部１２０として機能させられる。
また、画像形成装置２の制御部２０は、記憶部２９に記憶された制御プログラムを実行することで、紙詰まり情報取得部２００、紙詰まり情報送信部２１０、給紙設定変更情報受信部２２０、及び給紙設定変更部２３０として機能させられる。
また、上述のサーバー１及び画像形成装置２の各部は、本開示の画像形成方法を実行するハードウェア資源となる。
【００５２】
〔画像形成システムＸによる紙詰まり給紙設定変更処理〕
次に、図６を参照して、本開示の実施の形態に係る画像形成システムＸによる紙詰まり給紙設定変更処理の説明を行う。
本実施形態の紙詰まり給紙設定変更処理は、主にサーバー１及び画像形成装置２の制御部１０及び制御部２０が、記憶部１９及び記憶部２９に記憶されたプログラムを、各部と協働し、ハードウェア資源を用いて実行する。
以下で、図６のフローチャートを参照して、紙詰まり給紙設定変更処理の詳細をステップ毎に説明する。
【００５３】
（ステップＳ２０１）
まず、画像形成装置２の紙詰まり情報取得部２００が、紙詰まり情報取得処理を行う。
紙詰まり情報取得部２００は、給紙部２４の紙詰まり情報３００を取得する。
具体的には、紙詰まり情報取得部２００は、画像形成装置２の内蔵時計やネットワーク時間サーバー等から年月日時分秒等を含む現在の時刻を取得し、記憶部２９の紙詰まり情報３００に紙詰まり発生時刻として設定する。
また、紙詰まり情報取得部２００は、搬送部４２の各種センサーの情報から、紙詰まり発生箇所と紙詰まり原因とを判別し、紙詰まり発生箇所及び紙詰まり原因コードを紙詰まり情報３００に設定する。
また、紙詰まり情報取得部２００は、現時点での給紙元の給紙カセット４０又は手差しトレイ４１のＩＤを紙詰まり情報３００に設定する。
また、紙詰まり情報取得部２００は、画像形成装置２の全ての給紙カセット４０及び手差しトレイ４１の設定情報を、給紙カウンター情報３３０から取得して、紙詰まり情報３００に設定する。
【００５４】
（ステップＳ２０２）
次に、紙詰まり情報送信部２１０が、紙詰まり情報送信処理を行う。
紙詰まり情報送信部２１０は、紙詰まり情報取得部２００により取得された紙詰まり情報３００をサーバー１へ送信する。
【００５５】
（ステップＳ１０１）
ここで、サーバー１の紙詰まり情報受信部１００が、紙詰まり情報受信処理を行う。
紙詰まり情報受信部１００は、画像形成装置２の紙詰まり情報送信部２１０により送信された紙詰まり情報３００を受信して、記憶部１９に格納する。
【００５６】
（ステップＳ１０２）
次に、紙詰まり情報分析部１１０が、紙詰まり発生が給紙元の給紙カセット４０又は手差しトレイ４１であるか否かを判定する。
具体的には、紙詰まり情報分析部１１０は、紙詰まり情報３００を参照し、紙詰まり発生箇所、紙詰まり原因コード、及び現時点での給紙元のＩＤを取得する。
これにより、紙詰まり情報分析部１１０は、紙詰まりが給紙元で発生していたと認識できる場合に、Ｙｅｓと判定する。
紙詰まり情報分析部１１０は、それ以外の場合には、Ｎｏと判定する。
Ｙｅｓの場合、紙詰まり情報分析部１１０は、処理をステップＳ１０３に進める。
Ｎｏの場合、紙詰まり情報分析部１１０は、給紙設定変更処理を終了する。
【００５７】
（ステップＳ１０３）
紙詰まりが給紙元で発生していた場合、紙詰まり情報分析部１１０が、給紙元の給紙カウンターが閾値以上であるか否かを判定する。
紙詰まり情報分析部１１０は、閾値設定３１０を参照する。
紙詰まり情報分析部１１０は、給紙カウンターが、耐用枚数の閾値以上であった場合に、Ｙｅｓと判定する。
この給紙カウンターは、給紙元の給紙カセット４０又は手差しトレイ４１用であり、紙詰まり情報３００に含まれる。
紙詰まり情報分析部１１０は、それ以外の場合には、Ｎｏと判定する。
Ｙｅｓの場合、紙詰まり情報分析部１１０は、処理をステップＳ１０５に進める。
Ｎｏの場合、紙詰まり情報分析部１１０は、処理をステップＳ１０４に進める。
【００５８】
（ステップＳ１０４）
耐用枚数の閾値以上でなかった場合、紙詰まり情報分析部１１０が、現在の給紙元と他の給紙元の比率の閾値以上であるか否かを判定する。
紙詰まり情報分析部１１０は、閾値設定３１０を参照する。
紙詰まり情報分析部１１０は、現在の給紙元の給紙カセット４０又は手差しトレイ４１の給紙カウンターと、別の給紙カセット４０又は手差しトレイ４１の給紙カウンターとの比率が、対応する閾値以上であった場合に、Ｙｅｓと判定する。
また、これらの給紙カウンターは、紙詰まり情報３００に含まれる。
紙詰まり情報分析部１１０は、それ以外の場合には、Ｎｏと判定する。
Ｙｅｓの場合、紙詰まり情報分析部１１０は、処理をステップＳ１０５に進める。
Ｎｏの場合、紙詰まり情報分析部１１０は、処理をステップＳ１０９に進める。
【００５９】
（ステップＳ１０５）
ここで、閾値設定３１０の各閾値以上であった場合、紙詰まり情報分析部１１０が、同給紙設定の別給紙元があるか否かを判定する。
紙詰まり情報分析部１１０は、紙詰まり情報３００に含まれる全ての給紙カセット４０及び手差しトレイ４１の設定情報を参照する。
そして、紙詰まり情報分析部１１０は、記録紙５０のサイズ及び種類が同じ給紙カセット４０又は手差しトレイ４１が存在した場合に、Ｙｅｓと判定する。
紙詰まり情報分析部１１０は、それ以外の場合には、Ｎｏと判定する。
Ｙｅｓの場合、紙詰まり情報分析部１１０は、処理をステップＳ１０６に進める。
Ｎｏの場合、紙詰まり情報分析部１１０は、処理をステップＳ１０８に進める。
【００６０】
（ステップＳ１０６）
同給紙設定の別給紙元があった場合、紙詰まり情報分析部１１０が、給紙設定変更情報作成処理を行う。
紙詰まり情報分析部１１０は、画像形成装置２の給紙元を変更させる給紙設定変更情報３２０を作成する。
具体的には、紙詰まり情報分析部１１０は、画像形成装置２へのコマンドを給紙設定変更情報３２０として作成し、記憶部１９に格納する。
このコマンドは、給紙元の給紙カセット４０又は手差しトレイ４１を無効化させる指示等を含む。
また、このコマンドは、給紙元を、同じ給紙設定の他の給紙カセット４０又は手差しトレイ４１に変更する指示等も含む。
また、紙詰まり情報分析部１１０は、画像形成装置２の管理者へ、給紙設定の変更を通知してもよい。
紙詰まり情報分析部１１０は、この通知を、電子メールやメッセンジャー等を用いて行ってもよい。
【００６１】
なお、紙詰まり情報分析部１１０により実行される、ステップＳ１０２〜Ｓ１０６が、紙詰まり情報分析処理となる。
【００６２】
（ステップＳ１０７）
次に、給紙設定変更情報送信部１２０が、給紙設定変更情報送信処理を行う。
給紙設定変更情報送信部１２０は、給紙設定変更情報３２０を、画像形成装置２へ送信する。
給紙設定変更情報３２０は、上述のように、紙詰まり情報分析部１１０により作成され、記憶部１９に格納された情報である。
【００６３】
（ステップＳ２０３）
ここで、画像形成装置２の給紙設定変更情報受信部２２０が、給紙設定変更情報受信処理を行う。
サーバー１の給紙設定変更情報送信部１２０から給紙設定変更情報３２０が送信された場合、給紙設定変更情報受信部２２０は、これを受信して、記憶部２９に格納する。
【００６４】
（ステップＳ２０４）
次に、給紙設定変更部２３０が、給紙設定変更処理を行う。
給紙設定変更部２３０は、給紙設定変更情報受信部２２０により受信された給紙設定変更情報３２０に対応して、給紙部２４の給紙設定を変更する。
給紙設定変更部２３０は、給紙カウンター情報３３０の給紙設定を、給紙設定変更情報３２０に含まれる他の給紙カセット４０又は手差しトレイ４１に変更する。
その後、給紙設定変更部２３０は、紙詰まり給紙設定変更処理の画像形成装置２の処理を終了する。
【００６５】
（ステップＳ１０８）
同給紙設定の別給紙元がなかった場合、紙詰まり情報分析部１１０が、使用頻度偏り通知処理を行う。
紙詰まり情報分析部１１０は、画像形成装置２の管理者へ、給紙元の給紙カセット４０又は手差しトレイ４１の使用頻度が偏っていることを通知する。
これにより、注意を喚起する。
結果として、管理者が、手動で給紙カセット４０又は手差しトレイ４１用の給紙設定を変更することが可能となる。
【００６６】
（ステップＳ１０９）
ここで、紙詰まり情報分析部１１０が、閾値変更処理を行う。
紙詰まり情報分析部１１０は、上述の紙詰まり情報分析処理の結果等から、記憶部１９に格納された閾値設定３１０の各閾値、耐久値等を変化させる。
上述のように、紙詰まり情報分析部１１０は、紙詰まり情報３００に含まれる給紙元の給紙設定によりユーザーの環境に合うよう変化させてもよい。
以上により、本実施の形態に係る紙詰まり給紙設定変更処理を終了する。
【００６７】
以上のように構成することで、以下のような効果を得ることができる。
典型的な画像形成装置の給紙に使用される給紙カセットの部品には耐用枚数がある。
耐用枚数に近づく若しくは超えると給紙がうまくいかず、紙詰まりが発生しやすくなる。
紙詰まりが多発するとサービスパーソンによる部品交換が必要となり、ユーザーがプリンターを使用できないダウンタイムが発生していた。
しかしながら、典型的な技術では、給紙カセットの使用頻度の偏りについては考慮していなかった。
これに対して、本開示の第一実施形態に係る画像形成システムＸは、画像形成装置２と、画像形成装置２の管理を行うサーバー１とを含む。
画像形成装置２は、給紙部２４と、紙詰まり情報取得部２００と、紙詰まり情報送信部２１０と、給紙設定変更部２３０を備える。
給紙部２４は、記録紙５０を保持する複数の給紙元を含む。
紙詰まり情報取得部２００は、給紙部２４の紙詰まり情報３００を取得する。
紙詰まり情報送信部２１０は、紙詰まり情報取得部２００により取得された紙詰まり情報３００をサーバー１へ送信する。
給紙設定変更情報受信部２２０は、サーバー１から送信された給紙設定変更情報３２０を受信する。
給紙設定変更部２３０は、給紙設定変更情報受信部２２０により受信された給紙設定変更情報３２０に対応して、給紙部２４の給紙設定を変更する。
サーバー１は、紙詰まり情報受信部１００と、紙詰まり情報分析部１１０と、給紙設定変更情報送信部１２０とを備える。
紙詰まり情報受信部１００は、画像形成装置２の紙詰まり情報送信部２１０から送信された紙詰まり情報３００を受信する。
紙詰まり情報分析部１１０は、紙詰まり情報受信部１００により受信された紙詰まり情報３００を分析し、紙詰まりした給紙元の記録紙５０の給紙数が閾値に対応し、同じ記録紙５０の設定をもつ別の給紙元が存在する場合、当該別の給紙元へ変更するよう指示する給紙設定変更情報３２０を作成する。
給紙設定変更情報送信部１２０は、紙詰まり情報分析部１１０により作成された給紙設定変更情報３２０を画像形成装置２へ送信する。
このように構成することで、各給紙カセット４０又は手差しトレイ４１での使用状況に応じて、偏った給紙カセット４０又は手差しトレイ４１の利用を防ぐことができる。
これにより、使用頻度が少ない給紙カセット４０又は手差しトレイ４１が有効利用されるように給紙設定を最適化することができる。
結果として、紙詰まりの頻度を減らすことができる。
【００６８】
また、本開示の第一実施形態に係る画像形成システムＸは、閾値設定３１０は、紙詰まりした給紙元の耐用枚数、及び／又は、紙詰まりした給紙元と別の給紙元との給紙カウンターの比率に対応する閾値を含む。
このように構成することで、単に給紙カウンターが耐用枚数を超えた場合に警告するだけでなく、他のあまり使われていない給紙元を使用させることができる。
よって、給紙カセット４０又は手差しトレイ４１が有効利用され、紙詰まりの頻度を減らすことができる。
【００６９】
また、本開示の第一実施形態に係る画像形成システムＸは、複数の給紙元は、給紙カセット４０及び手差しトレイ４１を含み、紙詰まり情報分析部１１０は、給紙カセット４０と手差しトレイ４１とで異なる閾値を用いる。
このように構成することで、給紙カセット４０及び手差しトレイ４１のいずれかがあまり使われていなかった場合でも有効利用させることができる。
よって、紙詰まりの頻度を減らすことができる。
【００７０】
また、本開示の第一実施形態に係る画像形成システムＸは、紙詰まり情報分析部１１０は、各給紙元に保持される記録紙５０の種類により、閾値を変化させる。
このように構成することで、実際の耐久性により合わせた閾値を設定することができ、メンテナンスを最適化することができる。
【００７１】
また、本開示の第一実施形態に係る画像形成システムＸは、紙詰まり情報分析部１１０は、複数の画像形成装置２から取得された紙詰まり情報３００を分析して、ユーザーの環境に適合させて閾値を変化させることを特徴とする。
このように構成することで、ユーザーの環境に沿ったメンテナンスが可能となり、又、紙詰まりの頻度を減らすことができる。
【００７２】
＜第二実施形態＞
ここで、図７を参照して、本開示の第二実施形態において、スタンドアローンの画像形成装置２ｂについて説明する。
上述の第一実施形態においては、サーバー１によりリモート管理される画像形成装置２において使用する給紙カセット４０又は手差しトレイ４１の変更を、ネットワーク５を介して行う例について説明した。
これに対して、本開示はリモートにより管理される装置以外にも適用できる。
【００７３】
具体的には、画像形成装置２ｂは、給紙部２４と、紙詰まり情報取得部２００と、紙詰まり情報分析部１１０と、給紙設定変更部２３０を備える。
給紙部２４は、記録紙５０を保持する複数の給紙元を含む。
紙詰まり情報取得部２００は、給紙部２４の紙詰まり情報３００を取得する。
紙詰まり情報分析部１１０は、紙詰まり情報取得部２００により取得された紙詰まり情報３００を、閾値設定３１０を参照して分析する。
紙詰まり情報分析部１１０は、紙詰まりした給紙元の記録紙５０の給紙数が特定の閾値を超えており、同じ記録紙５０の設定の別の給紙元が存在する場合、当該別の給紙元へ変更するよう指示する給紙設定変更情報３２０を作成する。
給紙設定変更部２３０は、紙詰まり情報分析部１１０により作成された給紙設定変更情報３２０に対応して、給紙部２４の給紙設定を変更する。
これらのうち、図５と同様の記号は、同様の構成であることを示す。
また、画像形成装置２ｂの制御部１０ｂは、記憶部２９ｂに格納された制御プログラムを実行することで、紙詰まり情報取得部２００、紙詰まり情報分析部１１０、及び給紙設定変更部２３０として機能することが可能である。
【００７４】
ここで、図８により、本開示の第二実施形態の紙詰まり給紙設定変更処理について、ステップ毎に詳細に説明する。
なお、これらの処理においても、第一実施形態と同様の処理は、同様に実行されてもよい。
この紙詰まり給紙設定変更処理を、ハードウェア資源を用いて実行することで、画像形成装置２ｂに本実施形態の画像形成方法を実行させることが可能となる。
【００７５】
（ステップＳ２１１）
まず、紙詰まり情報取得部２００が、紙詰まり情報取得処理を行う。
紙詰まり情報取得部２００は、給紙部２４の紙詰まり情報３００を取得し、記憶部２９に格納する。
【００７６】
（ステップＳ２１２）
次に、紙詰まり情報分析部１１０が、紙詰まり情報分析処理を行う。
紙詰まり情報分析部１１０は、記憶部２９に格納された紙詰まり情報３００を、閾値設定３１０を参照して分析する。
そして、紙詰まりした給紙元の記録紙５０の給紙数が特定の閾値を超えており、同じ記録紙５０の設定の別の給紙元が存在する場合、紙詰まり情報分析部１１０は、当該別の給紙元へ変更するよう指示する給紙設定変更情報３２０を作成し、記憶部２９に格納する。
【００７７】
（ステップＳ２１３）
次に、給紙設定変更部２３０が、給紙設定変更処理を行う。
給紙設定変更部２３０は、記憶部２９に格納された給紙設定変更情報３２０に対応して、給紙部２４の給紙設定を変更する。
以上により本実施形態に係る紙詰まり給紙設定処理を終了する。
【００７８】
このように構成することで、スタンドアローンの画像形成装置２ｂであっても、紙詰まり情報３００及び閾値設定３１０に対応して、給紙カセット４０又は手差しトレイ４１が有効利用されるように給紙設定を最適化することができる。
結果として、紙詰まりの頻度を減らすことができる。
なお、例えば、紙詰まり発生の有無に関わらず、給紙カウンターの特定枚数毎に給紙カウンターの値と閾値との比較を行い、給紙元の給紙カセット４０又は手差しトレイ４１の変更を行うようにしてもよい。
【００７９】
＜他の実施形態＞
上述の第一及び第二実施形態においては、手差しトレイ４１の給紙カウンターも確認する例について説明した。
しかしながら、給紙カセット４０のみについて給紙カウンターを確認してもよい。
また、給紙カセット４０の間でだけ給紙元を変更するようにしてもよい。
ここで、一般的に、手差しトレイ４１の方が保持可能な記録紙の量が少ないため、記録紙５０の交換頻度は、給紙カセット４０より手差しトレイ４１の方が高い。
このため、このように構成することで、手差しトレイ４１について頻繁に記録紙５０を交換しなくてもよくなる。  よって、ユーザーの使い勝手をよくすることができる。
また、部品の交換頻度についても、給紙カセット４０と手差しトレイ４１とでは異なっている。
一般的には、手差しトレイ４１の方が部品の交換頻度が高くなる。しかしながら、手差しをするとローラー等の部品への負荷が非常に小さい用紙が使われる場合、部品の交換頻度は、手差しトレイ４１の方が低くなる。
また、手差しトレイ４１の方が多種の用紙を通すという前提から予め傷みにくいローラー等を用いている場合には、給紙カセット４０よりも交換時期が延びる可能性も考えられる。
このため、給紙カセット４０の間でだけ給紙元を変更することで、手差しトレイ４１と給紙カセット４０との間での部品のメンテナンス期間の差を考慮しなくてもよくなり、使い勝手がよくなる。  なお、管理者によりこれらの設定を変更してもよく、給紙元を変更する給紙カセット４０又は手差しトレイ４１を選択できてもよい。
【００８０】
また、上述の実施形態では、記録紙５０の種類を、先だって画像形成装置２の記憶部２９に設定する例について記載した。
しかしながら、各給紙カセット４０及び手差しトレイ４１にメディアセンサーを備えて、記録紙５０を特定可能であってもよい。
このメディアセンサーは、例えば、光学センサーや超音波センサーやピエゾセンサー等により記録紙５０の厚さ、硬さ、粗さ、重量等により、記録紙５０の種類を特定可能であってもよい。
これにより、各給紙カセット４０又は手差しトレイ４１から、記録紙５０の種類毎に何枚給紙されたかをカウントし、種類毎の閾値により正確に給紙元を変更することが可能となる。
【００８１】
この場合、閾値設定３１０に給紙カセット４０又は手差しトレイ４１の劣化係数を含ませてもよい。
たとえば、この劣化係数は、上質紙の係数を１に設定した場合、再生紙の係数を０．８と設定してもよい。
この場合、例えば、初期の閾値が１００００枚の場合に、５０００枚の印刷が完了した時点で、再生紙が２０００枚であった場合、紙詰まり情報分析部１１０は、閾値を１００００から２０００＊（１．０−０．８）＝４００を差し引いた９６００に変更してもよい。
また、この劣化係数は、各画像形成装置２の使用状況に応じて個別に算出されてもよい。
また、劣化係数は、出荷前に行われる耐印刷試験の結果等に基づいて決定されてもよい。
また、劣化係数は、サーバー１等で、各画像形成装置２の使用状況のデータを収集して算出してもよい。
このとき、例えば、同一オフィス内の複数の画像形成装置２のデータを収集すると、環境の差が小さくなり、比較的確からしい係数が得られる。
また、モデルや仕向け地ごとの値により劣化係数を算出してもよい。
さらに、利用状況に応じてダイナミックに劣化係数を変更してもよい。
【００８２】
また、上述の実施の形態においては、記憶部２９の給紙カウンター情報３３０に給紙設定が含まれている例について記載した。
しかしながら、これに限られない。
たとえば、給紙部２４にマイクロコントローラー等を備えており、給紙部２４自体に給紙設定や給紙カウンター情報３３０が備えられていてもよい。
また、給紙元の設定が給紙部２４のマイクロコントローラー等の記憶媒体に直接設定されていてもよい。
また、給紙部２４は、機構的に給紙元が切り換え可能であり、その駆動部の状態等を直接センサー等で給紙設定として取得してもよい。
このように構成することで、インテリジェントな給紙制御を行ったり、給紙元を機械的に変更したりする画像形成装置であっても、給紙元を柔軟に変更できる。
【００８３】
また、本開示は、画像形成装置以外のシート搬送装置にも適用できる。
つまり、複数の給紙元を切り換えられるネットワークスキャナー、スキャナーをＵＳＢ等で別途接続したサーバー等を用いる構成であってもよい。
【００８４】
また、上記実施の形態の構成及び動作は例であって、本開示の趣旨を逸脱しない範囲で適宜変更して実行することができることは言うまでもない。
【符号の説明】
【００８５】
１  サーバー
２、２ｂ  画像形成装置
５  ネットワーク
１０、２０、２０ｂ  制御部
１５、２５  ネットワーク送受信部
１９、２９、２９ｂ  記憶部
２１  画像処理部
２２  原稿読取部
２３  原稿給送部
２４  給紙部
２６  操作パネル部
２７  画像形成部
２８  ＦＡＸ送受信部
４０  給紙カセット
４１  手差しトレイ
４２  搬送部
５０  記録紙
１００  紙詰まり情報受信部
１１０  紙詰まり情報分析部
１２０  給紙設定変更情報送信部
２００  紙詰まり情報取得部
２１０  紙詰まり情報送信部
２２０  給紙設定変更情報受信部
２３０  給紙設定変更部
３００  紙詰まり情報
３１０  閾値設定
３２０  給紙設定変更情報
３３０  給紙カウンター情報
Ｘ  画像形成システム
【図１】
2018133088.tif 000003
【図２】
2018133088.tif 000004
【図３】
2018133088.tif 000005
【図４】
2018133088.tif 000006
【図５】
2018133088.tif 000007
【図６】
2018133088.tif 000008
【図７】
2018133088.tif 000009
【図８】
2018133088.tif 000010